(57)【特許請求の範囲】
【請求項１】
燃料を燃焼させ、燃焼ガスを生成する燃焼器、前記燃焼器によって生成された燃焼ガスにより駆動するタービン、前記燃焼器へ供給する燃料流量を調整する流量調整弁、及び前記燃焼器へ燃料を供給する燃料流路において前記流量調整弁の上流側に配置され、燃料圧力を調整する圧力調整弁を備えたガスタービンに設けられ、少なくとも前記圧力調整弁の開度を制御する弁制御装置であって、
前記ガスタービンの負荷の低減を検知する検知手段と、
前記検知手段によって前記負荷の低減が検知された場合に、前記負荷の低減後の前記ガスタービンの出力に応じて、前記圧力調整弁の開度をフィードフォワード制御する圧力制御手段と、
を備えた弁制御装置。
【請求項２】
前記圧力制御手段は、前記負荷の低減後の前記ガスタービンの出力要求値に応じて、前記燃焼器へ供給する燃料量を示した燃料要求値を求め、該燃料要求値に基づいて、前記圧力調整弁の開度を決定する請求項１記載の弁制御装置。
【請求項３】
前記燃焼器へ圧縮空気を導入する圧縮機へ流入させる空気流量を、前記出力要求値に基づいて算出する空気流量算出手段を備え、
前記圧力制御手段は、前記ガスタービンを構成する各機器の入口出口の状態量を示したヒートバランスデータを用いて、前記空気流量算出手段によって算出された前記空気流量、大気温度、及び前記出力要求値に応じた前記燃料要求値を導出する請求項２記載の弁制御装置。
【請求項４】
前記圧力制御手段は、前記出力要求値と前記燃料要求値との関係を示した第１情報を用いて、前記出力要求値に応じた前記燃料要求値を導出する請求項２記載の弁制御装置。
【請求項５】
前記圧力制御手段は、前記ガスタービンの出力要求値と前記圧力調整弁の開度との関係を示した第２情報を用いて、前記出力要求値に応じた前記開度を導出する請求項１記載の弁制御装置。
【請求項６】
前記圧力制御手段は、導出した前記開度を、前記燃焼器における燃焼状態に影響を及ぼすパラメータに基づいて補正する請求項５記載の弁制御装置。
【請求項７】
前記圧力制御手段は、前記負荷の低減後の前記ガスタービンの回転数に基づいて算出される燃料流量を示す指令値を用い、該指令値と前記燃焼器へ供給する燃料量を示した燃料要求値との関係を示した第３情報から導出される前記燃料要求値に基づいて、前記圧力調整弁の開度を決定する請求項１記載の弁制御装置。
【請求項８】
前記圧力制御手段は、前記負荷の低減量が予め定められた閾値を超えた場合に、前記負荷の低減後の前記ガスタービンの出力に応じて、前記圧力調整弁の開度を制御する請求項１から請求項７の何れか１項記載の弁制御装置。
【請求項９】
燃料を燃焼させ、燃焼ガスを生成する燃焼器と、
前記燃焼器によって生成された燃焼ガスにより駆動するタービンと、
前記燃焼器へ供給する燃料流量を調整する流量調整弁と、
前記流量調整弁に対して上流側に配置され、燃料圧力を調整する圧力調整弁と、
前記圧力調整弁の開度を制御する請求項１から請求項８の何れか１項記載の弁制御装置と、
を備えたガスタービン。
【請求項１０】
燃料を燃焼させ、燃焼ガスを生成する燃焼器、前記燃焼器によって生成された燃焼ガスにより駆動するタービン、前記燃焼器へ供給する燃料流量を調整する流量調整弁、及び前記燃焼器へ燃料を供給する燃料流路において前記流量調整弁の上流側に配置され、燃料圧力を調整する圧力調整弁を備えたガスタービンに設けられ、少なくとも前記圧力調整弁の開度を制御する弁制御方法であって、
前記ガスタービンの負荷の低減を検知する第１工程と、
前記負荷の低減を検知した場合に、前記負荷の低減後の前記ガスタービンの出力に応じて、前記圧力調整弁の開度をフィードフォワード制御する第２工程と、
を含む弁制御方法。
【発明の詳細な説明】
【技術分野】
【０００１】
本発明は、弁制御装置、ガスタービン、及び弁制御方法に関するものである。
【背景技術】
【０００２】
ガスタービンの運転が行われている間にガスタービンの負荷が低減すると、急激にガスタービンの回転数が上昇する場合がある。
例えば、ガスタービンによって発電機を駆動させ商用電力系統に系統連系された発電設備と電力を消費する負荷設備とを含む工場設備において、発電設備が商用電力系統から遮断され、発電設備が工場設備内の負荷設備にのみ送電する単独運転に移行した場合等にガスタービンの回転数が上昇する。この場合、ガスタービンの出力要求が、発電設備が商用電力系統へ送電していた分の喪失量に相当するだけ急激に負荷が低減（負荷低減）する。このため、ガスタービンが有する燃焼器へ供給される燃料は、急激に絞り込まれなくてはならない。
【０００３】
しかし、負荷低減の検知遅れ、燃料流路に残っている燃料の燃焼器への供給、燃料流量を調整する流量調整弁や燃料圧力を調整する圧力調整弁の動作遅れ等により、実際にはガスタービンの機械出力の低下が遅れ、工場設備内における電力系統の周波数の上昇が生じる場合がある。
このため、単独運転に移行した場合は、周波数の上昇を抑制し、かつ燃焼安定性を確保する必要がある。
【０００４】
そこで、特許文献１には、負荷遮断あるいは送電系統からの遮断が発生したときに、複数の予混合燃焼用燃料系統の内、予め定められた予混合燃焼用燃料系統の燃料流量を予め定められた火炎保持可能な第１の最小燃料流量に第１の有効時間だけ設定し、拡散燃焼用燃料系統の燃料流量を予め定められた火炎保持可能な第２の最小燃料流量に第２の有効時間だけ設定する、ガスタービン燃料制御装置が記載されている。
【先行技術文献】
【特許文献】
【０００５】
【特許文献１】特許第３８２８７３８号公報
【発明の概要】
【発明が解決しようとする課題】
【０００６】
特許文献１に記載のように、負荷遮断あるいは送電系統からの遮断が発生したときに、燃料流量を予め定められた値に設定することは、単独運転後のガスタービンの要求出力が常に決まった値ならば有効である。
しかしながら、単独運転前後のガスタービンの要求出力が決まった値とならない場合は、その都度、必要とする燃料量も異なるので、単独運転後の要求出力に応じて適正な燃料制御弁の開度を設定しなければ、周波数の変動や燃焼不安定を招く恐れがある。
【０００７】
本発明は、このような事情に鑑みてなされたものであって、負荷が急激に低下してもガスタービンの出力が不安定になることを抑制できる、弁制御装置、ガスタービン、及び弁制御方法を提供することを目的とする。
【課題を解決するための手段】
【０００８】
上記課題を解決するために、本発明の弁制御装置、ガスタービン、及び弁制御方法は以下の手段を採用する。
【０００９】
本発明の第一態様に係る弁制御装置は、燃料を燃焼させ、燃焼ガスを生成する燃焼器、前記燃焼器によって生成された燃焼ガスにより駆動するタービン、前記燃焼器へ供給する燃料流量を調整する流量調整弁、及び前記燃焼器へ燃料を供給する燃料流路において前記流量調整弁の上流側に配置され、燃料圧力を調整する圧力調整弁を備えたガスタービンに設けられ、少なくとも前記圧力調整弁の開度を制御する弁制御装置であって、前記ガスタービンの負荷の低減を検知する検知手段と、前記検知手段によって前記負荷の低減が検知された場合に、前記負荷の低減後の前記ガスタービンの出力に応じて、前記圧力調整弁の開度をフィードフォワード制御する圧力制御手段と、を備える。
【００１０】
本構成によれば、弁制御装置は、燃料を燃焼させ、燃焼ガスを生成する燃焼器、燃焼器によって生成された燃焼ガスにより駆動するタービン、燃焼器へ供給する燃料流量を調整する流量調整弁、及び燃焼器へ燃料を供給する燃料流路において流量調整弁の上流側に配置され、燃料圧力を調整する圧力調整弁を備えたガスタービンに設けられ、少なくとも圧力調整弁の開度を制御する。
【００１１】
そして、検知手段によって、ガスタービンの負荷の低減が検知される。ガスタービンの負荷が低減すると、負荷に応じた燃料量の低減が間に合わず、ガスタービンの出力が不安定になる可能性がある。
【００１２】
ここで、燃料流量の調整は、流量調整弁の開度が例えばガスタービンの出力に基づいてフィードバック制御させることで行われる。しかし、流量調整弁を負荷低減後のガスに基づいてフィードバック制御したとしても、流量調整弁よりも上流側に配置されている圧力調整弁が適正な開度となっていないと、周波数の上昇や燃焼不安定を抑制できない。
【００１３】
そこで、検知手段で負荷の低減が検知された場合、圧力制御手段によって、負荷の低減後のガスタービンの出力に応じて、圧力調整弁の開度が制御される。負荷の低減後のガスタービンの出力に応じた制御とは、すなわちフィードフォワード制御である。これにより、ガスタービンの負荷が低減すると、圧力調整弁により燃料圧力が、負荷に応じた適正値となるように制御されることとなる。このため、圧力調整弁よりも下流側に配置されている流量調整弁による燃料流量の制御が、負荷に応じた適正値となるように制御可能となる。
【００１４】
従って、本構成は、負荷が急激に低下してもガスタービンの出力が不安定になることを抑制できる。
【００１５】
上記第一態様では、前記圧力制御手段が、前記負荷の低減後の前記ガスタービンの出力要求値に応じて、前記燃焼器へ供給する燃料量を示した燃料要求値を求め、該燃料要求値に基づいて、前記圧力調整弁の開度を決定することが好ましい。
【００１６】
本構成によれば、負荷低減後のガスタービンの出力要求値に応じて、燃焼器へ供給する燃料量を示した燃料要求値が求められ、該燃料要求値に基づいて、圧力調整弁の開度が決定されるので、負荷低減後の圧力調整弁の開度を精度良く制御できる。
【００１７】
上記第一態様では、前記燃焼器へ圧縮空気を導入する圧縮機へ流入させる空気流量を、前記出力要求値に基づいて算出する空気流量算出手段を備え、前記圧力制御手段が、前記ガスタービンを構成する各機器の入口出口の状態量を示したヒートバランスデータを用いて、前記空気流量算出手段によって算出された前記空気流量、大気温度、及び前記出力要求値に応じた前記燃料要求値を導出することが好ましい。
【００１８】
本構成によれば、空気流量算出手段によって、燃焼器へ圧縮空気を導入する圧縮機へ流入される空気流量が、ガスタービンの出力要求値に基づいて算出される。そして、燃料要求値が、ガスタービンを構成する各機器の入口出口の状態量を示したヒートバランスデータから、空気流量算出手段で算出された空気流量、大気温度、及びガスタービンの出力要求値に応じた値として導出される。
従って、本構成は、負荷低減後のガスタービンの出力要求値に応じた燃料要求置が、ガスタービンのヒートバランスから求められ、圧力調整弁の開度が決定されるので、負荷低減後の圧力調整弁の開度を精度よく決定できる。
【００１９】
上記第一態様では、前記圧力制御手段が、前記出力要求値と前記燃料要求値との関係を示した第１情報を用いて、前記出力要求値に応じた前記燃料要求値を導出することが好ましい。
【００２０】
本構成によれば、燃料要求値が、負荷低減後のガスタービンの出力要求値と燃料要求値との関係を示した第１情報から導出され、圧力調整弁の開度が決定されるため、圧力調整弁の開度が決定するまでに行われる演算量が低減されるので、負荷低減後の圧力調整弁の開度を簡易な構成で決定できる。
【００２１】
上記第一態様では、前記圧力制御手段が、前記ガスタービンの出力要求値と前記圧力調整弁の開度との関係を示した第２情報を用いて、前記出力要求値に応じた前記開度を導出することが好ましい。
【００２２】
本構成によれば、圧力調整弁の開度が、ガスタービンの出力要求値と圧力調整弁の開度との関係を示した第２情報から導出されるため、圧力調整弁の開度が決定するまでに行われる演算量が低減されるので、負荷低減後の圧力調整弁の開度を簡易な構成で決定できる。
【００２３】
上記第一態様では、前記圧力制御手段が、導出した前記開度を、前記燃焼器における燃焼状態に影響を及ぼすパラメータに基づいて補正することが好ましい。
【００２４】
本構成によれば、第２情報を用いて導出された圧力調整弁の開度が、燃焼器における燃焼状態に影響を及ぼすパラメータに基づいて補正されるので、負荷低減後の圧力調整弁の開度を精度よく決定できる。上記パラメータは、例えば大気温度、燃料カロリー、燃料温度、及び燃料供給圧力等である。
【００２５】
上記第一態様では、前記圧力制御手段が、前記負荷の低減後の前記ガスタービンの回転数に基づいて算出される燃料流量を示す指令値を用い、該指令値と前記燃焼器へ供給する燃料量を示した燃料要求値との関係を示した第３情報から導出される前記燃料要求値に基づいて、前記圧力調整弁の開度を決定することが好ましい。
【００２６】
本構成によれば、負荷の低減後のガスタービンの回転数に基づいて算出される燃料流量を示す指令値を用いて燃料要求値を算出するので、負荷低減後の圧力調整弁の開度をより精度よく決定できる。なお、上記指令値とは、流量調整弁の開度が燃料流量に対応するため、流量調整弁の開度も含む。
【００２７】
上記第一態様では、前記圧力制御手段が、前記負荷の低減量が予め定められた閾値を超えた場合に、前記負荷の低減後の前記ガスタービンの出力に応じて、前記圧力調整弁の開度を制御することが好ましい。
【００２８】
本構成によれば、負荷の低減量が小さい場合には、圧力調整弁に対する負荷の低減に応じた制御が行われないので、圧力調整弁を負荷の低減に応じて制御することによる失火等の危険性を抑制できる。
【００２９】
本発明の第二態様に係るガスタービンは、燃料を燃焼させ、燃焼ガスを生成する燃焼器と、前記燃焼器によって生成された燃焼ガスにより駆動するタービンと、前記燃焼器へ供給する燃料流量を調整する流量調整弁と、前記流量調整弁に対して上流側に配置され、燃料圧力を調整する圧力調整弁と、前記圧力調整弁の開度を制御する上記記載の弁制御装置と、を備える。
【００３０】
本発明の第三態様に係る弁制御方法は、燃料を燃焼させ、燃焼ガスを生成する燃焼器、前記燃焼器によって生成された燃焼ガスにより駆動するタービン、前記燃焼器へ供給する燃料流量を調整する流量調整弁、及び前記燃焼器へ燃料を供給する燃料流路において前記流量調整弁の上流側に配置され、燃料圧力を調整する圧力調整弁を備えたガスタービンに設けられ、少なくとも前記圧力調整弁の開度を制御する弁制御方法であって、前記ガスタービンの負荷の低減を検知する第１工程と、前記負荷の低減を検知した場合に、前記負荷の低減後の前記ガスタービンの出力に応じて、前記圧力調整弁の開度をフィードフォワード制御する第２工程と、を含む。
【発明の効果】
【００３１】
本発明によれば、負荷が急激に低下してもガスタービンの出力が不安定になることを抑制できる、という優れた効果を有する。
【図面の簡単な説明】
【００３２】
【図１】本発明の第１実施形態に係る工場設備の構成図である。
【図２】負荷低減が生じた場合のガスタービンの出力の変化の例を示すグラフである。
【図３】負荷低減が生じた場合において、圧力調整弁の絞込規定開度が小さい場合における工場設備内の電力系統の周波数の変化の例を示すグラフである。
【図４】負荷低減が生じた場合において、圧力調整弁の絞込規定開度が大きい場合における工場設備内の電力系統の周波数の変化の例を示すグラフである。
【図５】本発明の第１実施形態に係る負荷低減開度制御を行うための圧力制御部の機能を示す機能ブロック図である。
【図６】本発明の第１実施形態に係る負荷低減検知部による処理の流れを示すフローチャートである。
【図７】本発明の第１実施形態に係る負荷低減開度制御を行った場合における、圧力調整弁の開度の時間変化と工場設備内の電力系統の周波数の時間変化を示すグラフである。
【図８】本発明の第２実施形態に係る負荷低減開度制御を行うための圧力制御部の機能を示す機能ブロック図である。
【図９】本発明の第３実施形態に係る負荷低減開度制御を行うための圧力制御部の機能を示す機能ブロック図である。
【図１０】本発明の第４実施形態に係る負荷低減開度制御を行うための圧力制御部の機能を示す機能ブロック図である。
【発明を実施するための形態】
【００３３】
以下に、本発明に係る弁制御装置、ガスタービン、及び弁制御方法の一実施形態について、図面を参照して説明する。
【００３４】
〔第１実施形態〕
図１は、第１実施形態に係る工場設備１０の全体構成図である。工場設備１０は、ガスタービン１２及び発電機１４で構成される発電設備１６、並びに電力を消費する負荷設備１８を備える。
【００３５】
ガスタービン１２は、圧縮機２０、燃焼器２２、及びタービン２４を備える。
圧縮機２０は、回転軸２６により駆動されることで、空気取込口から取り入れた空気を圧縮して圧縮空気を生成する。燃焼器２２は、圧縮機２０から車室２８へ導入された圧縮空気に燃料を噴射して高温・高圧の燃焼ガスを発生させる。タービン２４は、燃焼器２２で発生した燃焼ガスによって回転駆動する。なお、圧縮機２０の空気の吸気量は、圧縮機２０の入口に設けられた入口案内翼（Inlet Guide Vane、以下、「ＩＧＶ」という。）の開閉によって調整される。
【００３６】
車室２８と燃焼器２２との間にはバイパス管３０が設けられており、バイパス管３０は、タービン２４の負荷変動により燃焼器２２内の空気が不足する状態になった場合に、燃焼器バイパス弁３２が開かれると車室２８内の空気を燃焼器２２内に導入する流路となる。また、圧縮機２０とタービン２４との間には、圧縮機２０からタービン２４へ冷却用の空気を導入させるための抽気管３４が設けられている。
【００３７】
なお、タービン２４、圧縮機２０、及び発電機１４は、回転軸２６によって連結され、タービン２４に生じる回転駆動力は、回転軸２６によって圧縮機２０及び発電機１４に伝達される。そして、発電機１４は、タービン２４の回転駆動力によって発電する。発電機１４は、負荷設備１８に接続されており、発電した電力を工場設備１０内の負荷設備１８へ供給する。また、発電機１４は、商用電力系統と系統連系されており、発電した電力を工場設備１０外の送電網である商用電力系統へ供給する。
なお、発電設備１６と負荷設備１８との間の送電線にはブレーカ３６Ａが設けられ、発電設備１６と商用電力系統との間の送電線にはブレーカ３６Ｂが設けられている。
【００３８】
また、燃焼器２２には、ノズル３８が設けられ、ノズル３８から供給された燃料を、圧縮空気を用いて燃焼させる。
【００３９】
燃焼器２２へ燃料を供給する燃料流路４０には、燃焼器２２へ供給する燃料流量を調整する流量調整弁４２、及び燃料流路４０において流量調整弁４２の上流側に配置され、燃料圧力を調整する圧力調整弁４４が備えられている。燃焼器２２へ供給される燃料量は、流量調整弁４２及び圧力調整弁４４の開度が制御されることによって、制御される。
【００４０】
弁制御装置５０は、負荷低減検知部５２、流量制御部５４、及び圧力制御部５６を備える。
【００４１】
負荷低減検知部５２は、ガスタービン１２の負荷の低減（以下、「負荷低減」という。）を検知する。
【００４２】
流量制御部５４は、流量調整弁４２の開度を制御することによって、燃焼器２２へ供給される燃料流量を制御する。具体的には、流量制御部５４は、流量調整弁４２の開度をガスタービン１２の出力に基づいてフィードバック制御させることで、燃料流量の制御を行う。
【００４３】
圧力制御部５６は、圧力調整弁４４の開度を制御することによって、燃焼器２２へ供給される燃料圧力を制御する。具体的には、圧力制御部５６は、燃料流路４０を流れる燃料圧力が所定値となるように圧力調整弁４４の開度を制御する。
【００４４】
なお、ガスタービン１２の負荷が低減する場合とは、例えば、発電設備１６と商用電力系統との間の送電線が断線やブレーカ３６Ｂの開放等、発電設備１６から商用電力系統への電力供給が遮断された場合等である。このような場合、ガスタービン１２の負荷が急激に低下する。
【００４５】
図２を参照して、商用電力系統への電力供給が遮断された場合を例にして、負荷低減が生じた場合のガスタービン１２の出力の変化について説明する。
【００４６】
商用電力系統への電力供給が遮断されると、発電設備１６が、工場設備１０内の負荷設備１８にのみ送電する単独運転に移行することとなる。このため、図２に示されるように、ガスタービン１２の出力は、商用電力系統へ送電していた分の喪失量（喪失負荷）に相当するだけ急減する。すなわち、ガスタービンの出力要求は、負荷設備１８が有する負荷（系統内負荷）相当となる。
【００４７】
また、流量調整弁４２及び圧力調整弁４４の開度も、負荷低減に応じて絞られ、燃焼器２２へ供給される燃料が低減される。しかしながら、負荷低減の検知遅れ、燃料流路４０に残っている燃料の燃焼器２２への供給、流量調整弁４２や圧力調整弁４４の動作遅れ等により実際にはガスタービン１２の機械出力の低下が遅れ、工場設備１０内における電力系統の周波数の上昇が生じる場合がある。
【００４８】
また、流量調整弁４２の開度を絞っても、流量調整弁４２よりも上流側に配置されている圧力調整弁４４の絞り込みが遅れると、燃料圧力上昇により燃焼器２２への燃料の供給が想定よりも多くなり、さらなる周波数上昇が発生する。一方、燃料を絞り込みすぎると燃焼安定性が低下し、失火する恐れがある。
【００４９】
図３は、負荷低減が生じた場合において、圧力調整弁４４の絞込規定開度が小さい場合における工場設備１０内の電力系統の周波数の変化の例を示すグラフである。図３に示されるように、負荷低減後の圧力調整弁４４の開度が小さいと、燃焼器２２へ供給される燃料圧力が低下し、これに伴い負荷に対する燃料量が過少となり、負荷低減に伴う周波数上昇後における周波数の大幅な低下を招く可能性がある。
【００５０】
図４は、負荷低減が生じた場合において、圧力調整弁４４の絞込規定開度が大きい場合における工場設備１０内の電力系統の周波数の変化の例を示すグラフである。図４に示されるように、負荷低減後の圧力調整弁４４の開度が大きいと、燃焼器２２へ供給される燃料圧力の低下が不十分であり、これに伴い負荷に対する燃料量が過剰となり、負荷低減に伴う周波数の上昇がより大きくなる可能性がある。
【００５１】
図３，４に示されるように、流量調整弁４２よりも上流側に配置されている圧力調整弁４４が適正な開度となっていないと、流量調整弁４２を負荷低減後のガスタービン１２の出力に基づいてフィードバック制御したとしても、周波数の上昇や燃焼不安定を抑制できない。
【００５２】
そこで、本第１実施形態に係る圧力制御部５６は、負荷低減検知部５２によってガスタービン１２の負荷低減が検知された場合に、負荷低減後のガスタービン１２の出力に応じて、圧力調整弁４４の開度を制御する負荷低減開度制御を行う。本第１実施形態に係る負荷低減開度制御は、負荷低減後のガスタービン１２の出力要求値（以下、「ＧＴ出力要求値」という。）に応じて燃焼器２２へ供給する燃料量を示した燃料要求値を求め、該燃料要求値に基づいて、圧力調整弁４４の開度を決定する。
【００５３】
図５は、本第１実施形態に係る負荷低減開度制御を行うための圧力制御部５６の機能を示す機能ブロック図である。
【００５４】
圧力制御部５６は、ＩＧＶ開度算出部６０、燃料要求値導出部６２、弁流量算出部６４、及び開度決定部６６を備える。
【００５５】
ＩＧＶ開度算出部６０は、ＧＴ出力要求値及び大気温度の計測結果である大気温度計測値が入力される。そして、ＩＧＶ開度算出部６０は、圧縮機２０へ流入させる空気流量を、ＧＴ出力要求値及び大気温度計測値に基づいて算出し、算出した空気流量に応じたＩＧＶの開度を算出する。
【００５６】
燃料要求値導出部６２は、ガスタービン１２を構成する各機器の入口出口の状態量（温度、圧力、エンタルピ、流量等）を示したＧＴヒートバランスデータを用いて、ＩＧＶ開度算出部６０で算出された空気流量、大気温度計測値、及びＧＴ出力要求値に応じた燃料要求値を導出する。なお、ＧＴヒートバランスデータは、ガスタービン１２の設計値として予め作成されており、燃料要求値導出部６２に記憶されている。
【００５７】
そして、圧力制御部５６は、燃料要求値に応じた圧力調整弁４４の開度を決定するために、弁流量算出部６４でＣｖ値を算出する。
【００５８】
弁流量算出部６４は、燃料要求値導出部６２で導出された燃料要求値、圧力調整弁４４の入口圧力（圧力調整弁４４に対する燃料の供給圧力）、圧力調整弁４４の出口圧力の設定値、燃料温度の計測値に基づいて圧力調整弁４４のＣｖ値を算出する。
なお、Ｃｖ値は、燃料要求値をＷ、圧力調整弁４４の入口圧力と出口圧力との差をΔＰ、燃料温度をＴとした場合に、例えば数１に示されるような一般的な式から算出される。
【数１】
0005868671.tif 000002
【００５９】
開度決定部６６は、Ｃｖ値と圧力調整弁４４の開度との関係を示したテーブル情報Ａ（テーブル関数）が予め記憶されている。そして、開度決定部６６は、弁流量算出部６４で算出されたＣｖ値に応じた開度を圧力調整弁４４の開度として決定し、決定した開度を示す弁開度設定値を圧力調整弁４４へ送信する。
【００６０】
また、負荷低減検知部５２は、負荷低減量が予め定められた閾値を超えた場合に、圧力制御部５６に負荷低減開度制御の実行指示を送信する。これにより、本第１実施形態に係る弁制御装置５０は、負荷低減量が小さい場合、圧力調整弁４４に対して負荷低減開度制御を行わないこととなるので、圧力調整弁４４を負荷低減に応じて制御することによる失火等の危険性を抑制できる。
【００６１】
図６は、本第１実施形態に係る負荷低減検知部５２による処理の流れを示すフローチャートである。
【００６２】
まず、ステップ１００では、ガスタービン１２の負荷の測定を行う。負荷の測定は、例えば発電機１４の出力（以下、「発電機出力」という。）が検知されることで行われ、検知された発電機出力の値は逐次記憶される。
【００６３】
次のステップ１０２では、検知された現在の発電機出力と所定時間（例えば１秒）前の過去の発電機出力との差分を負荷低減量として算出する。
【００６４】
次のステップ１０４では、算出した負荷低減量が予め定められた閾値以上であるか否かを判定し、肯定判定の場合は、ステップ１０６へ移行し、否定判定の場合は、ステップ１００へ戻る。なお、閾値は、例えば、発電設備１６が商用電力系統から遮断されることによる予測される負荷の喪失量とする。
【００６５】
ステップ１０６では、圧力制御部５６に負荷低減開度制御の実行指示を送信する。
圧力制御部５６は、負荷低減開度制御の実行指示を受信すると、負荷低減後のガスタービン１２の出力に応じて、圧力調整弁４４の開度を制御する。
【００６６】
本第１実施形態に係る圧力制御部５６は、上述したように、圧縮機２０へ流入させる空気流量をＧＴ出力要求値及び大気温度計測値に基づいて算出し、燃料要求値を、ＧＴヒートバランスデータを用いて、算出した空気流量、大気温度計測値、及びＧＴ出力要求値に応じた値として導出する。そして、圧力制御部５６は、燃料要求値に応じた圧力調整弁４４の開度を決定し、該開度を示す弁開度設定値を圧力調整弁４４へ送信する。
圧力調整弁４４は、弁開度設定値を受信すると、弁開度設定値により示される開度となる。
【００６７】
すなわち、負荷低減開度制御は、圧力調整弁４４に対するフィードフォワード制御である。これにより、ガスタービン１２の負荷が低減すると、圧力調整弁４４により燃料圧力が、負荷に応じた適正値となるように制御されることとなる。このため、圧力調整弁４４よりも下流側に配置されている流量調整弁４２による燃料流量の制御が、負荷に応じた適正値となるように制御可能となる。
【００６８】
図７は、本第１実施形態に係る負荷低減開度制御を行った場合における、圧力調整弁４４の開度の時間変化と工場設備１０内の電力系統の周波数の時間変化を示すグラフである。
図７に示されるように、圧力調整弁４４の開度は整定状態の開度（整定開度）の近傍で変動し、この開度が適正な値となるため燃料流量も適正となり、その結果、周波数変動が小さくなる。
【００６９】
以上説明したように、本第１実施形態に係る弁制御装置５０は、負荷低減検知部５２によって負荷低減が検知された場合に、圧力制御部５６によって、負荷低減後のガスタービン１２の出力に応じて、圧力調整弁４４の開度を制御する。
なお、本第１実施形態に係る圧力制御部５６は、ＧＴ出力要求値に応じて燃料要求値を求め、該燃料要求値に基づいて、圧力調整弁４４の開度を決定する。このために、圧力制御部５６は、圧縮機２０へ流入させる空気流量をＧＴ出力要求値に基づいて算出し、ＧＴヒートバランスデータを用いて、算出した空気流量、大気温度、及びＧＴ出力要求値に応じた燃料要求値を導出する。
従って、本第１実施形態に係る弁制御装置５０は、負荷低減後の圧力調整弁４４の開度を精度よく決定でき、負荷が急激に低下してもガスタービン１２の出力が不安定になることを抑制できる。
【００７０】
なお、本第１実施形態に係る弁制御装置５０では、ＧＴヒートバランスデータを用いた燃料要求値の導出に大気温度を用いなくてもよい。具体的には、大気温度を固定値として、ＧＴヒートバランスデータを用いて空気流量及び出力要求値に応じた燃料要求値を導出する。なお、固定値とした大気温度は、季節に応じて変化させてもよい。
【００７１】
〔第２実施形態〕
以下、本発明の第２実施形態について説明する。
【００７２】
なお、本第２実施形態に係る工場設備１０の構成は、図１に示す第１実施形態に係る工場設備１０の構成と同様であるので説明を省略する。
【００７３】
図８は、本第２実施形態に係る負荷低減開度制御を行うための圧力制御部５６の機能を示す機能ブロック図である。なお、図８における図５と同一の構成部分については図５と同一の符号を付して、その説明を省略する。
【００７４】
本第２実施形態に係る燃料要求値導出部７０は、ＧＴ出力要求値と燃料要求値との関係を示したテーブル情報Ｂ（テーブル関数）が記憶されている。なお、このテーブル情報Ｂは、予め作成されている。燃料要求値導出部７０は、負荷低減開度制御の実行指示を圧力制御部５６が受信し、負荷低減後のＧＴ出力要求値が入力されると、テーブル情報Ｂを用いて、入力されたＧＴ出力要求値に応じた燃料要求値を導出し、燃料要求値を弁流量算出部６４へ出力する。
【００７５】
そして、本第２実施形態に係る圧力制御部５６は、燃料要求値導出部７０によって導出した燃料要求値に基づいて、弁流量算出部６４及び開度決定部６６によって圧力調整弁４４の開度を決定する。
【００７６】
以上説明したように、本第２実施形態に係る圧力制御部５６は、ＧＴ出力要求値と燃料要求値との関係を示したテーブル情報Ｂを用いて負荷低減後のＧＴ出力要求値に応じた燃料要求値を導出する。従って、圧力調整弁４４の開度が決定するまでに行われる演算量が低減されるので、本第２実施形態に係る圧力制御部５６は、負荷低減後の圧力調整弁４４の開度を簡易な構成で決定できる。
【００７７】
〔第３実施形態〕
以下、本発明の第３実施形態について説明する。
【００７８】
なお、本第３実施形態に係る工場設備１０の構成は、図１に示す第１実施形態に係る工場設備１０の構成と同様であるので説明を省略する。
【００７９】
図９は、本第３実施形態に係る負荷低減開度制御を行うための圧力制御部５６の機能を示す機能ブロック図である。
【００８０】
本第３実施形態に係る圧力制御部５６は、開度決定部８０及び補正部８２を備える。
【００８１】
開度決定部８０は、ＧＴ出力要求値と圧力調整弁４４の開度との関係を示したテーブル情報Ｃ（テーブル関数）が記憶されている。なお、このテーブル情報Ｃは、予め作成されている。開度決定部８０は、負荷低減開度制御の実行指示を圧力制御部５６が受信し、負荷低減後のＧＴ出力要求値が入力されると、テーブル情報Ｃを用いて、入力されたＧＴ出力要求値に応じた圧力調整弁４４の開度を導出し、該開度を示す弁開度設定値を補正部８２へ出力する。
【００８２】
補正部８２は、入力された弁開度設定値を、燃焼器２２における燃焼状態に影響を及ぼすパラメータに基づいて補正する。上記パラメータは、例えば大気温度、燃料カロリー、燃料温度、及び燃料供給圧力等であり、各々の値は補正信号として補正部８２に入力される。
【００８３】
例えば、大気温度が高いほど空気の密度が低くなり、ガスタービン１２の出力が低下することとなる。このため、大気温度が高い場合、補正部８２は、燃焼器２２へ供給する燃料量が多くなるように弁開度設定値を補正する。
また、燃料カロリーが高いと、ガスタービン１２の出力が上昇することとなる。このため、燃料カロリーが高い場合、補正部８２は、燃焼器２２へ供給する燃料量が少なくなるように弁開度設定値を補正する。
また、燃料温度が高いと、燃料の密度が低くなるためガスタービン１２の出力が低下することとなる。このため、燃料温度が高い場合、補正部８２は、燃焼器２２へ供給する燃料量が多くなるように弁開度設定値を補正する。
また、燃料供給圧力が高いと、燃料の密度が高くなるためガスタービン１２の出力が上昇することとなる。このため、燃料供給圧力が高い場合、補正部８２は、燃焼器２２へ供給する燃料量が少なくなるように弁開度設定値を補正する。
【００８４】
そして、補正部８２によって補正された弁開度設定値は、圧力調整弁４４へ送信される。
【００８５】
以上説明したように、本第３実施形態に係る圧力制御部５６は、ＧＴ出力要求値と圧力調整弁４４の開度との関係を示したテーブル情報Ｃを用いて負荷低減後のＧＴ出力要求値に応じた圧力調整弁４４の開度を導出する。従って、圧力調整弁４４の開度が決定するまでに行われる演算量が低減されるので、本第３実施形態に係る圧力制御部５６は、負荷低減後の圧力調整弁４４の開度を簡易な構成で決定できる。
また、本第３実施形態に係る圧力制御部５６は、テーブル情報Ｃを用いて導出した圧力調整弁４４の開度を、燃焼器２２における燃焼状態に影響を及ぼすパラメータに基づいて補正するので、負荷低減後の圧力調整弁４４の開度を精度よく決定できる。
【００８６】
〔第４実施形態〕
以下、本発明の第４実施形態について説明する。
【００８７】
なお、本第４実施形態に係る工場設備１０の構成は、図１に示す第１実施形態に係る工場設備１０の構成と同様であるので説明を省略する。
【００８８】
燃料流量を示す指令値である燃料流量指令値は、単独運転移行の直後にはガスタービン１２の回転数に基づいた制御である回転数制御がされている。このため、燃料流量指令値は、単独運転移行の直後では回転数制御によって、ガスタービン１２が整定状態となった場合の流量とは異なる値となる。特に負荷の喪失量が大きい場合、燃料流量指令は、整定状態の流量より低い流量に抑えられる。
そこで、本第４実施形態に係る圧力制御部５６は、負荷低減後のガスタービン１２の出力に応じた値として燃料流量指令値を用いて、燃料要求値を算出する。
【００８９】
図１０は、本第４実施形態に係る負荷低減開度制御を行うための圧力制御部５６の機能を示す機能ブロック図である。なお、図１０における図５と同一の構成部分については図５と同一の符号を付して、その説明を省略する。
【００９０】
本第４実施形態に係る燃料要求値導出部９０は、燃料流量指令値と燃料要求値との関係を示したテーブル情報Ｄ（テーブル関数）が記憶されている。なお、このテーブル情報Ｄは、予め作成されている。燃料要求値導出部９０は、負荷低減開度制御の実行指示を圧力制御部５６が受信し、負荷低減後の燃料流量指令値が入力されると、テーブル情報Ｄを用いて、入力された燃料流量指令値に応じた燃料要求値を導出し、燃料要求値を弁流量算出部６４へ出力する。
【００９１】
そして、本第４実施形態に係る圧力制御部５６は、燃料要求値導出部９０によって導出した燃料要求値に基づいて、弁流量算出部６４及び開度決定部６６によって圧力調整弁４４の開度を決定する。
【００９２】
以上説明したように、本第４実施形態に係る圧力制御部５６は、燃料流量指令値を用いて、負荷低減後の燃料流量指令値に応じた燃料要求値を導出するので、負荷低減後の圧力調整弁４４の開度をより精度よく決定できる。なお、流量調整弁４２の開度が燃料流量に対応するため、本第４実施形態に係る圧力制御部５６は、上記燃料流量指令値に替えて、流量調整弁４２の開度指令値を用いてもよい。
【００９３】
以上、本発明を、上記各実施形態を用いて説明したが、本発明の技術的範囲は上記実施形態に記載の範囲には限定されない。発明の要旨を逸脱しない範囲で上記各実施形態に多様な変更または改良を加えることができ、該変更または改良を加えた形態も本発明の技術的範囲に含まれる。
【符号の説明】
【００９４】
１０    工場設備
２０    圧縮機
２２    燃焼器
２４    タービン
４２    流量調整弁
４４    圧力調整弁
５０    弁制御装置
５２    負荷低減検知部
５６    圧力制御部
６０    ＩＧＶ開度算出部
【図１】
0005868671.tif 000003
【図２】
0005868671.tif 000004
【図３】
0005868671.tif 000005
【図４】
0005868671.tif 000006
【図５】
0005868671.tif 000007
【図６】
0005868671.tif 000008
【図７】
0005868671.tif 000009
【図８】
0005868671.tif 000010
【図９】
0005868671.tif 000011
【図１０】
0005868671.tif 000012